(57)【特許請求の範囲】
【請求項１】
プラスチック部材（１２）にゴム部材（１１）が射出されて製造され、表示機器のための溝および内部部品を装着するためのボスが形成される上部ケース（２１）と、
プラスチック部材（１２）にゴム部材（１１）が射出されて製造され、底にバッテリ（３５０）のための溝が形成され、内面に内部部品を装着するためのボスが形成される下部ケース（２２）と、
前記上部ケース（２１）および下部ケース（２２）の間に差込み組立されて防水機能を遂行するメインガスケット（１３）とからなり、
メインガスケット（１３）の後面には上部ケース（２１）と下部ケース（２２）が組立てられた状態で相互に固定されるようにし、外部から加わる衝撃により上部ケース（２１）と下部ケース（２２）が離脱されることを防止するアルミニウム板のガスケット支持台（１３１）が形成されることを特徴とする、携帯用コンピュータの外部ケース。
【請求項２】
前記上部ケース（２１）および下部ケース（２２）の後端に位置する出力ポートドアが組立てられる溝は防水機能のために二重敷居で形成されることを特徴とする、請求項１に記載の携帯用コンピュータの外部ケース。
【請求項３】
前記上部ケース（２１）のゴム部材（１１）の内面にスイッチを作動させるための突起が形成されることを特徴とする、請求項１に記載の携帯用コンピュータの外部ケース。
【発明の詳細な説明】
【０００１】
【産業上の利用分野】
本発明は、衝撃吸収および防水機能を有する携帯用電子機器に関し、より詳しくは、プラスチックにゴム製品を射出した形態の二重構造でケースを形成してノートブックコンピュータ、ペンコンピュータのような携帯用情報処理機器や携帯用電話機などに適切に適用することにより、衝撃および振動の吸収性を向上させるとともに防水可能にし、また、ケース表面の触感を向上できる衝撃吸収および防水機能を有する携帯用電子機器に関するものである。
【０００２】
【従来の技術】
最近まで、ノートブックコンピュータ、ペンコンピュータなどの携帯用電子機器の外部ケースとしてはポリカーボネート（ＰＣ：Poly Carbonate）およびアクリロブチレンスチレン樹脂の組成物やアクリロブチレンスチレン（ＡＢＳ：Acrylo Butylene Styrene ）樹脂のようなプラスチック樹脂を射出して製造している。
【０００３】
前述の携帯用電子機器の外部ケースは、材質の特性上耐衝撃吸収性が劣り、携帯用電子機器に落下事故が発生した場合、外部ケースの破損のみならず内装部品の損傷も招く。
【０００４】
【発明が解決しようとする課題】
したがって、本発明は、硬い材質のプラスチック樹脂にゴム成分の合成樹脂を射出した外部ケースを提供することにより、携帯用電子機器の振動および耐衝撃吸収力を向上させることを目的としている。
【０００５】
本発明の他の目的は、外部ケースに使用されたゴム成分の合成樹脂から感じられるソフトな触感を使用者に提供することにより製品の価値をもっと高級にすることにある。
【０００６】
本発明のさらに他の目的は、携帯用電話機、または、携帯用コンピュータなどのキー入力ボタンをゴム成分の合成樹脂を用いて形成することにより、キー入力ボタン製造に必要な費用を節減できるようにすることにある。
【０００７】
一方、コンピュータの外部ケースがゴム製品である場合には、弾性を有して硬くないゴムの特性上、ヒンジでドアをケース上に装着し難い。また、ペンコンピュータにおいては、キーボードがあまり使用されないので、キーボードポート用キャップが紛失されることを防止する対策が必要になる。
【０００８】
したがって、本発明は、ドア側リブおよびストッパにより連結部材をドア、または、キャップに固く固定し、前記連結部材をコンピュータ本体に連結し、ドアまたはキャップが常時コンピュータ本体から離脱されないようにし、ドアまたはキャップの紛失を防止できるようにすることをさらに目的としている。
【０００９】
【課題を解決するための手段】
上記目的を達成するための本発明の構成は、
携帯用電子機器を構成している内部部品と、
硬い物性を利用して内部空間を形成することにより前記内部部品を保護できるケースの役割をするプラスチック部材と、
前記プラスチック部材に吸着され外部表面を形成し、外部からの衝撃および振動を吸収し、防水機能を有するとともにソフトな質感を提供するゴム材とからなる。
【００１０】
上記目的を達成するための本発明の他の構成は、
一次鋳型にプラスチック樹脂を射出してプラスチック部材を形成し、
前記プラスチック部材を二次鋳型に挿入した後、
前記プラスチック部材上にゴム成分の合成樹脂を適切な厚さで射出しプラスチック部材に吸着されたゴム部材が形成されるようにする製造工程でなる。
【００１１】
上記目的を達成するための本発明のさらに他の構成は、
外部の衝撃および異物の流入からドア内部を保護するためのゴム材料でなっている補助ドアと、
前記補助ドアの内面に形成され内部溝を有するリブと、
一側溝に前記リブを挿入し、他側の掛かり溝がコンピュータの本体に掛かるようにし、補助ドアとコンピュータが連結されるようにする連結部材と、
前記連結部材が挿入されたリブの内部溝に挿入され、敷居によりリブの中端部が膨張され連結部材がリブから外れないようにするストッパとからなる。
【００１２】
【実施例】
以下、本発明の好適実施例を、添付図面に基づいて説明する。
【００１３】
本発明の実施例では、携帯用電子機器として携帯用コンピュータ（図１〜図１２）および携帯用電話機（図１３および図１４）に対してだけ説明しているが、本発明の技術的な範囲はこれに限定されるものではなく、他の携帯用電子機器にも適当な変形を通じて同一の技術を適用することができる。
【００１４】
まず、携帯用コンピュータについて説明する。
図１に示すように、本発明の実施例による衝撃吸収および防水機能を有するコンピュータの上部ケースは、ケース内部表面をなすプラスチック部材１２と、前記プラスチック部材１２に吸着されるゴム部材１１と、上部ケースと下部ケースの間に差込み組立てられるメインガスケット１３とからなる。
【００１５】
前記プラスチック部材１２は、ポリカーボネートおよびアクリロブチレンスチレン樹脂の組成物やアクリロブチレンスチレン樹脂でなり、前記ゴム部材１１はゴム成分の合成樹脂の１種であるデュポン（Du Pont ）社のＨＹＴＲＥＬ樹脂でなる。
【００１６】
前記ＨＹＴＲＥＬ樹脂は、ブロック共重合体（block copolymers）で、ハード成分のポリブチレンテレフタレート（ＰＢＴ：Poly Butylene Terephthalate ）と、ソフト成分の長鎖ポリエーテルグリコール（Polyether Glycols ）とからなり、前記ハード成分とソフト成分の含有比率によりその属性が決定される。
【００１７】
前記ＨＹＴＲＥＬ樹脂は、機械的強度および耐久性が要求される部品に主に適用されている。
【００１８】
図１で、プラスチック部材１２の後端部には出力ポートドアが挿入される二重敷居が形成されており、これは、防水効果を遂行するためのもので、メインガスケット１３に接着されているガスケット支持台１３１はアルミニウム板でなり組立てられた状態で上部ケースと下部ケースを固定するもので、コンピュータケースに衝撃が加わって上部ケースと下部ケースが離脱されることを防止する。
【００１９】
図１では、上部ケースの断面のみを図示しており、下部ケースの断面は図１に基づいて類推でき、図２に概略的な外観が図示されている。
【００２０】
前記携帯用コンピュータの上部ケース、または下部ケースを製造する方法について説明する。
【００２１】
コンピュータの上部、または下部ケースのための鋳型に前記ポリカーボネートおよびアクリロブチレンスチレン樹脂の組成物やアクリロブチレンスチレン樹脂を射出してプラスチック部材１２を形成する。
【００２２】
上記形成された上部、または下部ケース用プラスチック部材１２は、上部、または下部ケースのための二次鋳型に挿入され、次に、上部または下部ケース用プラスチック部材１２上にＨＹＴＲＥＬ樹脂を１．２〜２．０ｍｍの厚さで射出して携帯用コンピュータの上部、または下部ケースが得られる。
【００２３】
図２および図３は、上記のように製造された携帯用コンピュータの上部および下部ケース２１、２２がメインガスケット１３とともに組立てられた状態を示す斜視図である。
【００２４】
図２は、携帯用コンピュータの上部を図示したもので、上部ケース２１、メインガスケット１３、下部ケース２２とが組立てられている。
【００２５】
図３は、携帯用コンピュータの下部を図示したもので、下部ケース２２の左右には半円形柱が形成され、コンピュータが底に安定的に支持される。
【００２６】
図４および図５は携帯用コンピュータの上部ケース２１および下部ケース２２に内部部品が組立てられることを示す。
【００２７】
図４に基づいて、携帯用コンピュータの上部ケース２１に内部部品が組立てられる過程を説明する。
【００２８】
まず、上部ケース２１の表示装置のための溝の内部枠にトレーガスケット３１０が装着される。前記トレーガスケット３１０はトレーガスケット３１０上に配置される物体と上部ケース２１との間で緩衝作用および防水作用を遂行する。
【００２９】
前記トレーガスケット３１０上には、底面に左右にバッジ３１２、３１４が接着された下部支持台３１６が装着され、前記下部支持台３１６は、液晶表示器３２４を支持する。下部支持台３１６の左側上部にはテープ３２０が接着され、左側面には米国連邦通信委員会（Federal Communications Commission, FCC）の規格に従う通信ケーブル３１８が装着される。
【００３０】
下部支持台３１６上には液晶表示器ガスケット３２２が装着され、液晶表示器ガスケット３２２は液晶表示器３２４と下部支持台３１６との間の緩衝作用を遂行する。前記液晶表示器ガスケット３２２上にはコンピュータの表示装置で使用される液晶表示器３２４が装着され、前記液晶表示器３２４の左側には液晶表示器ケーブル３２６が連結されている。
【００３１】
液晶表示器３２４上にはデジタイザ３３０と液晶表示器３２４との間で緩衝作用を遂行するデジタイザガスケット３２８が装着され、デジタイザガスケット３２８上にはコンピュータのペン入力信号を処理するデジタイザ３３０が装着される。
【００３２】
デジタイザ３３０上には上部覆い３３２が装着され、上部覆い３３２の下部前後側にはデジタイザ３３０と上部覆い３３２との間で緩衝作用を遂行する６つの覆い側ガスケット３３４が装着される。上部覆い３３２は液晶表示器３２４の撓みを防止するためのもので、強度を増強させるためにマグネシウム合金が使用されている。
【００３３】
一方、図４には図示されていないが、上部覆い３３２上にはコンピュータシステムのメインボードが装着され、前記メインボードに関する構成は、図６に図示されている。
【００３４】
次に、図５に基づいて携帯用コンピュータの下部ケース２２に内部部品が組立てられる過程を説明する。
【００３５】
まず、バッテリ３５０が下部ケース２２の底面後端部に装着される。バッテリ３５０は下部ケース２２のバッテリ３５０のための空間に差込み組立てられる。
【００３６】
バッテリ３５０の後端部には組立ねじ３５４によりバッテリピン３５２およびピン側ガスケット３５６がねじ結合される。ピン側ガスケット３５６の後端にはブラケット３５８が装着され、ブラケット３５８の後端には支持台３６０が結合されている赤外線基盤３６２および基盤側ガスケット３６４が装着される。前記赤外線基盤３６２は外部装置と通信するためのもので、基盤側ガスケット３６４は赤外線基盤３６２とレンズ３７０との間で緩衝作用を遂行する。
【００３７】
前記赤外線基盤３６４の後端にはレンズ３７０およびレンズガスケット３６８がボルト３６６により結合され、前記レンズガスケット３６８はレンズ３７０がボルト３６６により損傷されることを防止する。
【００３８】
図６は、コンピュータのメインボードの構成ブロック図であり、図６に基づいてメインボードの動作を説明する。
【００３９】
中央処理ユニット４１０はローカルバスを通じてＲＡＭ４１２およびシステムコントローラ４１４と連結され、前記中央処理ユニット４１０としては４８６ＤＸ、４８６ＤＸ２などのマイクロプロセッサチップが使用される。
【００４０】
ＲＡＭ４１２はコンピュータシステムのメインメモリとして使用され、４ＭＢ、８ＭＢ、１６ＭＢの容量を有し、ＪＥＤＥＣメモリなどがＲＡＭ４１２に結合されることによりコンピュータシステムのメインメモリの容量が追加に拡張できる。
【００４１】
システムコントローラ４１４は、ローカルバスを通じて中央処理ユニット４１０と連結され、同時に、システムバスと連結され、中央処理ユニット４１０とシステムバスとの間でインタフェースの役割を遂行し、ＤＲＡＭコントローラおよびパワーマネージャとしての役割も遂行する。
【００４２】
ローカルバスを通じてキーボードコントローラ４１８、ＲＯＭ４２０、バッテリ４２２と連結され、同時に、システムバスに連結されている内部ロジックコントローラ４１６は、コンピュータシステム内部の並列ポート、インタラプト、および直接メモリアクセス（Direct Memory Access, DMA ）を制御する。前記内部ロジックコントローラ４１６には、コンピュータシステムに標準時間を提供する実時間時計（Real Time Clock, RTC）機能と、タイマ機能が含まれている。
【００４３】
キーボードコントローラ４１８は、キーボードで押したキーに対応するスキャンコードを生じさせ、前記スキャンコードがローカルバス、バッファ４２２、システムバス、システムコントローラ４１４を経由してインタラプト方式により中央処理ユニット４１０に伝達されるようにする。
【００４４】
ＲＯＭ４２０には、ＢＩＯＳ（Basic Input Output System, BIOS ）プログラムおよび各種インタラプトサービスルーチンと、初期ブーティング（booting ）時コンピュータシステムのチェッキングルーチン（Power On Self Test, POST）などが貯蔵されている。
【００４５】
バッファ４２２は、内部ロジックコントローラ４１６、キーボードコントローラ４１８、ＲＯＭ４２０を連結するローカルバスとシステムバスとの間でインタフェースの役割を遂行する。
【００４６】
システムバスに連結されており、国際協約により規格が定まっているパーソナルコンピュータメモリカード（Personal Computer Memory Card International Association, PCMCIA ）を制御するＰＣＭＣＩＡコントローラ４３４には、メモリカードのための１以上のソケット４３６が連結されており、前記メモリカードはコンピュータシステムに電源が供給されている状態でも外部でソケット４３６が装着できるように設計されている。
【００４７】
システムバスに連結されているビデオコントローラ４３８には表示機器４４２およびビデオＲＡＭ４４０が連結されている。前記ビデオコントローラ４３８は、中央処理ユニット４１０で生じてシステムバスを通って入力される表示機器４４２の両面を構成するための表示関連データから色信号、同期信号、クロック信号、色レベル信号を生じて表示機器４４２に伝え、ビデオＲＡＭ４４０には、中央処理ユニット４１０から伝えられた表示関連データが一時貯蔵される。
【００４８】
バッファ４２４は、ハードディスクドライブ（Hard Disk Drive 以下、ＨＤＤという）４２６、フラッシュＲＯＭ４２８、外部入出力コントローラ４３０、プログラムロジック装置４３２が連結されているローカルバスとシステムバスとを連結し、前記ローカルバスとシステムバスとの間でインタフェースの役割を遂行する。
【００４９】
コンピュータシステムの各種データおよびプログラムを半永久的に記憶するための補助メモリ装置であるＨＤＤ４２６にはハードディスクコントローラが内挿されて使用される。
【００５０】
フラッシュＲＯＭ４２８は、コンピュータシステムのメインメモリ４１２の負担を軽減させるためのもので、前記フラッシュＲＯＭ４２８にはＤＯＳ（Disk Operating System ）などのオペレーティングシステム（Operating System, OS）とユーティリティ（Utility ）プログラムなどが貯蔵されている。
【００５１】
外部入出力コントローラ４３０にはアドレッシング方式によりＨＤＤ４２６をインタフェースするロジックが含まれており、前記外部入出力コントローラ４３０はフロッピィディスクドライブ（Floppy Disk Drive, FDD）を制御し、または、プリンタポートなどのような並列ポートと通信ポートのような直列ポートを制御する役割を遂行する。
【００５２】
プログラムロジック４３０には１種のプログラム可能な論理配列装置（Programmable Logic Array, PLA ）として、システムバスに連結されているバッファ４２２、４２４のバス関連制御ロジックが含まれている。
【００５３】
次の表１は、携帯用ペンコンピュータの衝撃および振動テストに要求される規格である。
【００５４】
【表１】
0004090522.tif 000002
前記表１において、高さはペンコンピュータの落下高さを示し、接触面材質は物体が落下される底の材質を示し、反復回数は落下動作の反復回数を示し、構成はペンコンピュータの落下時ＨＤＤの装着可否を意味する。
【００５５】
振動テストとは、最大共鳴周波数で１５分以上の振動を加えることで、携帯用ペンコンピュータが作動中には０．５Ｇ’Ｓの振動を加え、携帯用ペンコンピュータが作動していないときは１．０Ｇ’Ｓの振動を加える。
【００５６】
本発明の実施例による携帯用ペンコンピュータは、前記した衝撃および振動テストで優秀な特性を現わしていることを実験から確認した。
【００５７】
前記したように、携帯用コンピュータの外部ケースがゴム製品である場合は、ゴムの硬くない特性のために、ヒンジで出力ポートドアをケース上に装着し難い。また、携帯用ペンコンピュータの場合は、キーボードがあまりよく使用されないので、キーボードポート用キャップがよく紛失されることを防止するための対策が要求される。
【００５８】
上記した問題点を解決するための本発明の実施例による衝撃吸収および防水機能を有する携帯用コンピュータで使用される出力ポートドアおよびキーボードポート用キャップの開閉装置に対して説明する。
【００５９】
図７〜図１２に示すごとく、本発明の実施例による開閉装置は、出力ポートドア３およびキーボードポート用キャップ４の内部に出力ポートドア側リブ３１とキーボードキャップ側リブ４１とがそれぞれ形成され、前記出力ポートドア側リブ３１とキーボードキャップ側リブ４１には連結部材２、５の一側溝がそれぞれ挿入され、前記連結部材２、５の他側掛かり溝はコンピュータ本体１の内部に装着され、前記連結部材２、５の一側溝が外周面に沿い挿入された前記出力ポートドア側リブ３１とキーボードキャップ側リブ４１の内部溝にはストッパ６が挿入される構造でなる。
【００６０】
本発明の実施例で、出力ポートドア３とキーボードポート用キャップ４および出力ポートドア側リブ３１とキーボードキャップ側リブ４１はゴム製品でなり、連結部材２、５はポリエステル樹脂でなり、ストッパ６はプラスチック材料でなるが、本発明の技術的な範囲はこれに限定されない。
【００６１】
前記構成による、本発明の実施例に係る出力ポートドアおよびキーボードポート用キャップの作用について説明する。
【００６２】
まず、図８に示すように、出力ポートドア３およびキーボードポート用キャップ４に形成された出力ポートドア側リブ３１とキーボードキャップ側リブ４１に連結部材２、５の一側溝を差し込む。前記連結部材２、５はポリエステル樹脂の薄いフィルムで折りやすい。
【００６３】
次に、出力ポートドア側リブ３１およびキーボードキャップ側リブ４１の内部溝にはストッパ６が挿入され、前記ストッパ６には図２のように敷居６１が形成されている。前記ストッパ６の敷居６１により出力ポートドア側リブ３１とキーボードキャップ側リブ４１の中端部は膨張され、連結部材２、５が各リブ３１、４１の中端部に掛かって出力ポートドア３およびキーボードポート用キャップ４に固く固定される。
【００６４】
図９には、連結部材２およびストッパ６が出力ポートドア３および出力ポートドア側リブ３１に固定され、前記出力ポートドア３がコンピュータ本体１に装着されている状態が図示されている。
【００６５】
前述したように、出力ポートドア３およびキーボードポート用キャップ４に連結部材２、５が装着されると、連結部材２、５の他側に形成された掛かり溝がコンピュータ本体１の内部敷居に掛かるようにして出力ポートドア３およびキーボードポート用キャップ４がコンピュータ本体１に組立てられる。このとき、出力ポートドア３はコンピュータ本体１と結合され、出力ポートドア３およびコンピュータ本体１の結合部位の縁に防水機能のために二重敷居が形成されている。
【００６６】
使用者により前記出力ポートドア３、またはキーボードポート用キャップ４は開閉され、出力ポートドア３またはキーボードポート用キャップ４が開いている状態で、連結部材２、５により前記出力ポートドア３またはキーボードポート用キャップ４がコンピュータ本体１に連結されているので、コンピュータから離脱されない。
【００６７】
図１０は、本発明の実施例による衝撃吸収および防水機能を有するコンピュータキーボードキャップ用連結部材の斜視図で、図１１は、本発明の実施例による衝撃吸収および防水機能を有するコンピュータキーボードキャップ用連結部材の装着方法を示す図面で、図１２は、本発明の実施例による衝撃吸収および防水機能を有するコンピュータのキーボードキャップ用連結部材の装着状態を示す図面で、キーボードポート用キャップ４に適用され連結部材２１がキーボードポート用キャップ４の開閉動作に連動してコンピュータ本体１の内部で移動できることを示している。
【００６８】
図１０に示すごとく、連結部材２１には、コンピュータ本体１側の掛かり溝の代わりに弾性力を有する突起面２２が形成されている。前記突起面２２はポリエステル樹脂の特性上、水平に延びる弾性力を有して、組立時に前記突起面２２を折ってコンピュータ本体１の隙間に挿入すると、前記突起面２２がコンピュータ本体１内部で延びて連結部材２１に固く固定される。
【００６９】
図１１は、連結部材２１がコンピュータ本体１に装着されることを図示した断面図で、装着される過程をより容易に理解させるためのものである。
【００７０】
図１２は、連結部材２１がコンピュータ本体１に装着された状態を図示し、前記連結部材２１はキーボードポート用キャップ４がコンピュータ本体１のキーボードポート用キャップ４のための溝で前後で動くとき、これに連動して移動できるようになり、ドアが閉じている状態で連結部材２１のための空間が小さいキーボードポート用キャップ４などに容易に適用できる。
【００７１】
図１３および図１４は、本発明の他の実施例として提示されたもので、本発明の原理である二重構造の外部ケースが携帯用電話機に適用されたことを図示したものである。
【００７２】
図１３は、本発明の原理が適用された携帯用電話機の斜視図で、図１４は図１３のＡ−Ａ′断面図である。
【００７３】
図１４に基づいて説明すれば、プラスチック部材５４とその上にゴム部材５２が吸着された上部ケースが具備され、下部ケースもプラスチック部材５３上にゴム部材５１が吸着されて具備される。
【００７４】
前記上部ケースのゴム部材５２の表面には番号板が印刷されゴム部材５２の内部には突起が形成されており、前記突起は携帯用電話機基盤５５に形成された数字番号板のためのスイッチ５６の方に向かっている。したがって、使用者がゴム部材５２の番号板を押すとゴム部材５２の突起がスイッチ５６を押すこととなり、携帯用電話機が動作される。
【００７５】
上記した構成によると、携帯用電話機の外部ケースに別途のスイッチのための押し装置が必要とはならないので、押し装置を装着するための費用が節減できる。また、上記技術的原理は携帯用コンピュータなどのキー入力手段に応用できる。
【００７６】
【発明の効果】
以上、本発明の実施例では、プラスチック部材にゴム部材を吸着させ携帯用機器のハウジングを製作することにより耐衝撃吸収力および振動に耐える力を向上させ、ゴム部材の特性により携帯用機器の表面触感を向上させ、スイッチボタンをゴム部材で形成してスイッチボタン製作のための別途の費用を節減できるようにする衝撃吸収および防水機能を有する携帯用電子機器を提供できる。
【００７７】
また、連結部材、リブ、およびストッパによりゴム製品でなっている補助ドアをコンピュータ本体と簡単に連結することによりヒンジ装置を使用できない部分に容易に適用でき、補助ドアがコンピュータ本体から離脱されないようにして補助ドアの紛失を防止できるドア開閉装置を提供できる。
【図面の簡単な説明】
【図１】本発明の実施例による衝撃吸収および防水機能を有するコンピュータの上部ケースの断面図である。
【図２】本発明の実施例による衝撃吸収および防水機能を有するコンピュータの上面斜視図である。
【図３】本発明の実施例による衝撃吸収および防水機能を有するコンピュータの下面斜視図である。
【図４】本発明の実施例による衝撃吸収および防水機能を有するコンピュータの上部ケースの組立斜視図である。
【図５】本発明の実施例による衝撃吸収および防水機能を有するコンピュータの下部ケースの組立斜視図である。
【図６】本発明の実施例による衝撃吸収および防水機能を有するコンピュータのシステムポートを図示したブロック構成図である。
【図７】本発明の実施例による衝撃吸収および防水機能を有する携帯用コンピュータにおいて、出力ポートドアおよびキーボードキャップが開いている状態を図示した斜視図である。
【図８】本発明の実施例による衝撃吸収および防水機能を有するコンピュータの出力ポートドアの細部斜視図である。
【図９】本発明の実施例による衝撃吸収および防水機能を有するコンピュータにおいて、出力ポートドアが装着されている状態を示す断面図である。
【図１０】本発明の実施例による衝撃吸収および防水機能を有するコンピュータのキーボードキャップ用連結部材の斜視図である。
【図１１】本発明の実施例による衝撃吸収および防水機能を有するコンピュータのキーボードキャップ用連結部材の装着方法を示す図である。
【図１２】本発明の実施例による衝撃吸収および防水機能を有するコンピュータのキーボードキャップ用連結部材の装着状態を示す図である。
【図１３】本発明の他の実施例による衝撃吸収および防水機能を有する携帯用電話機の斜視図である。
【図１４】本発明の他の実施例による衝撃吸収および防水機能を有する携帯用電話機の断面図である。
【符号の説明】
１１  ゴム部材
１２  プラスチック部材
１３  メインガスケット
１３１  ガスケット支持台
【図１】
0004090522.tif 000003
【図２】
0004090522.tif 000004
【図３】
0004090522.tif 000005
【図４】
0004090522.tif 000006
【図５】
0004090522.tif 000007
【図６】
0004090522.tif 000008
【図７】
0004090522.tif 000009
【図８】
0004090522.tif 000010
【図９】
0004090522.tif 000011
【図１０】
0004090522.tif 000012
【図１１】
0004090522.tif 000013
【図１２】
0004090522.tif 000014
【図１３】
0004090522.tif 000015
【図１４】
0004090522.tif 000016